(57)【要約】【課題】同一の表示領域上において、操作や警告情報に応じた情報の視認性を高め、それ以外の情報も視認できるディスプレイ装置を提供する。【解決手段】本発明のディスプレイ装置は、映像信号に警告表示があるかを判断する機能と、映像信号の拡大縮小処理と、複数の映像を合成する機能を有し、警告表示がある場合において、警告表示の映像を拡大し、警告表示以外の映像を縮小し、さらに、警告表示の映像輝度を明るくすることにより、警告表示の視認性向上と警告表示以外の映像を提供することができることを実現する。【選択図】図２
2010164879.tif 000002
【特許請求の範囲】
【請求項１】
第１映像信号と第２映像信号とを合成表示するディスプレイ装置であって、
前記第１映像信号をリサイズする第１リサイズ手段と、
前記第２映像信号をリサイズする第２リサイズ手段と、
リサイズされた前記第１映像信号とリサイズされた前記第２映像信号とを合成率に基づいて合成する合成手段と、
前記第２映像信号に含まれる警告情報あるいは前記第２映像信号に含まれる所定の色情報を検出する検出手段と、
前記検出手段が前記警告情報あるいは前記所定の色情報を検出した場合に、前記第１リサイズ手段に前記第１映像信号を縮小させ、前記第２リサイズ手段に前記第２映像信号を拡大させ、前記合成手段に前記合成率を変更させる制御手段と、
を有することを特徴とするディスプレイ装置。
【請求項２】
前記制御手段は、前記検出手段が前記警告情報あるいは前記所定の色情報を検出した場合に、前記第２リサイズ手段に前記第２映像信号を拡大させるとともに、前記第２映像信号の前記所定の色情報の部分の輝度を明るくさせる、ことを特徴とする請求項１に記載のディスプレイ装置。
【発明の詳細な説明】
【技術分野】
【０００１】
本発明は、表示制御装置に関し、更に詳しくは、警告や緊急情報のように、視聴者に注力を即す映像の視認性が良い映像を画面表示すると共に、それ以外の情報についても、情報を損なうことなく画面表示することができるディスプレイ装置に関するものである。
【背景技術】
【０００２】
車両運転に必要な情報（例えば、スピードメーター）を表示する用途とした、従来のディスプレイ装置は、複数の車両運転に必要な情報を、予め決められた表示位置に映像表示するものであった。
【０００３】
或いは、複数の車両運転に必要な情報を、情報の視認性をよくする為に、操作入力が発生した場合や警告情報が入力された場合に、入力による情報を表示する領域の映像を拡大表示し、それ以外の映像を、傾斜したような映像にした映像を、予め決められた各々別領域に映像表示するようにしたディスプレイ装置であった（例えば、特許文献１参照）。具体的な特許文献１に記載のディスプレイ装置の構成を図４にて説明する。図４において、表示制御部４０１は、表示映像信号の表示画面上で、数種類の車両情報（時計情報、燃費情報、走行距離情報、警告情報など）を表示する表示領域を設定する表示領域設定部４１１と、車両情報に基づいて、拡大表示するべき表示領域を選択し、且つ、一つの表示領域が拡大されたことにより他の縮小領域を選択する拡大・縮小画像選択部４１３と、拡大・縮小画像選択部４１３で選択された画像の表示領域を拡大すると共に、それ以外の表示領域のうちの領域を縮小する表示領域に表示する情報を縮小し、且つ後方へ傾斜する表示態様で表示する表示変更部４１２を備えることで、図５で示しているように、車両情報から、注力したい映像がＢにある場合に、他映像よりも大きく表示し、他映像は傾斜した映像にすることにより、視認性をよくしていた。
【特許文献１】特開２００６−１３１１０３号公報
【発明の開示】
【発明が解決しようとする課題】
【０００４】
しかしながら、上記従来の構成では、一つの表示領域上の表示情報は、同一情報として扱う構成であって、例えば、図５の（ａ）と（ｂ）と（ｃ）の車両運転に必要な複数の情報を表示しようとした場合に、従来の方法によれば、図５の（ｄ）のように映像ごとに別々の領域に表示した映像を上下に接続したように映像を合成する。つまり、換言すれば、別々の映像となっている操作情報や警告情報の入力に応じた情報を、同一表示領域上の映像として表示することができない為、情報を表示している表示領域に視線を移動する或いは、視認したい情報を得る為の操作を行うなど視認性を高めることが困難であるという課題を有していた。
【０００５】
本発明は、上記従来の課題を解決するもので、同一の表示領域上において、操作や警告情報に応じた情報の視認性を高め、それ以外の情報も視認できるディスプレイ装置を提供することを目的とする。
【課題を解決するための手段】
【０００６】
前記従来の課題を解決するために、本発明のディスプレイ装置は、映像信号に警告表示があるかを判断する機能と、映像信号の拡大縮小処理と、複数の映像を合成する機能を有し、警告表示がある場合において、警告表示の映像を拡大し、警告表示以外の映像を縮小し、さらに、警告表示の映像輝度を明るくすることにより、警告表示の視認性向上と警告表示以外の映像を提供することができることを実現する、ディスプレイ装置としたものである。
【発明の効果】
【０００７】
本発明のディスプレイ装置によれば、ディスプレイに表示する複数の情報から、映像の大きさと明るさを変化させることによって、ユーザーの目に留まり易くすることができ、その結果、視認性を向上することが可能となる。
【発明を実施するための最良の形態】
【０００８】
以下本発明を実施するための最良の形態について、図面を参照しながら説明する。
【０００９】
（実施の形態１）
図１は、本発明の実施の形態１におけるディスプレイ装置のブロック図である。図２は、本発明の実施形態における、映像のイメージ図である。
【００１０】
図１において、リサイズ回路Ａの１０１は、映像信号Ａ（例えば、図２（ａ）の映像）を拡大或いは縮小処理する。輝度検出回路１０２は、映像信号Ｂ（例えば、図２（ｂ）の映像）の輝度検出を行う。リサイズ回路Ｂの１０３は、映像信号Ｂを拡大或いは縮小処理する。αブレンド回路１０６は、複数の映像信号を入力とし、入力映像信号をαブレンドした一つの映像信号に変換出力する。ここで、αブレンドとは、２つの画像を係数に従って半透明合成する機能で、係数（α値：通常０〜１の範囲）は、どれくらい透過させるかを表わす値である。調整回路１０５は、ユーザーが映像信号Ｂの大きさを可変できるようにする。マイコン（制御）１０４は、映像のある色の輝度が、予め決められた警告表示判断値よりも、輝度検出回路が大きい場合に警告表示があると判断し、そうでない場合に、警告表示がないと判断を行う。そして、リサイズ回路Ａとリサイズ回路Ｂにリサイズさせるための制御を行い、αブレンド回路に、２つの映像信号を合成させるための制御を行う。
【００１１】
以上の構成により、輝度検出回路１０２は、警告表示情報を含む映像信号Ｂから、警告表示である色（例えば、赤）の輝度検出を行う。
【００１２】
マイコン（制御）１０４は、輝度検出回路１０２で検出した輝度データと、予め設定しておいた警告表示判断値とを比較し、比較の結果が大きい値であった場合に警告表示があると判断し、警告表示を見易くする為に、リサイズ回路Ｂに警告表示を含んでいる映像信号Ｂを大きな表示になるように制御し、警告表示を含んでいない映像信号Ａを小さな表示になるように制御を行う。
【００１３】
さらに、αブレンド回路１０６は、映像信号Ａと映像信号Ｂの映像合成をする比率を、映像信号Ｂの方を濃く表示できるように、映像合成比率をマイコン（制御）１０４からの設定により、警告表示を含む映像信号Ｂの映像が視認し易くなるように、映像信号Ｂの映像が明るくするように映像合成制御を行う。これにより、図２（ｃ）に示すように、映像信号Ｂの映像が大きくなり、そして、映像信号Ｂの明るさが高くなるので、映像信号Ｂの映像が視認し易くなる。
【００１４】
なお、本実施の形態において、警告表示があるかを検出できる手段として輝度検出回路１０２を設けたが、ユーザーが、警告表示の視認性をよくするために、ユーザーが、警告表示の映像を拡大できるように、調整回路１０５を設け、ユーザー調整ができるようにしても良い。
【００１５】
なお、警告表示は車両の警告情報として説明をしたが、ＴＶ放送に含まれる地震警報システムからの情報を、警告情報として扱ってもよいことは、言うまでもない。
【００１６】
なお、本実施の形態において、輝度検出回路を映像信号Ｂに設定としているが、映像信号Ａにも設定してもよいことは言うまでもない。
【００１７】
なお、本実施の形態において、映像信号Ｂの映像を明るくするように映像合成制御を行うとしているが、映像信号Ｂの特定色成分（例えば、赤色）を映像が明るくするように映像合成制御を行うようにしても良いことはいうまでもない。
【００１８】
（実施の形態２）
図３は、本発明の実施の形態２のディスプレイ装置のブロック図である。図２は、実施の形態１と同様の図である為、説明を省略する。また、図３において図１と同符号を付したものは機能が同機能であるため説明を省略する。
【００１９】
図３において、通信回路３０１は、インターネット等の外部のネットワークからＯＳＤ描画メッセージを受信し、受信した内容をマイコン２（制御）３０２に出力する。マイコン２（制御）３０２は、ＯＳＤ描画メッセージに対応したＯＳＤ描画制御を、ＯＳＤ回路３０３に行い、そして、ＯＳＤ描画メッセージに、警告表示内容があった場合は、警告表示を見易くする為に、リサイズ回路Ｂに警告表示を含んでいるＯＳＤ映像信号（例えば、図２（ｂ）の映像）を大きな表示になるように制御し、警告表示を含んでいない映像信号Ａ（例えば、図２（ａ）の映像）を小さな表示になるように制御を行う。
【００２０】
さらに、警告表示を含む映像信号Ｂの映像が、視認し易いように、αブレンド回路１０６に映像信号Ａより映像信号Ｂの信号輝度が高くなるように、映像合成制御を行うように構成している。
【００２１】
以上の構成により、警告表示を含むＯＳＤ映像信号の映像が視認し易くなるように、ＯＳＤ映像信号の映像を明るくする映像合成制御を行う。これにより、図２（ｃ）に示すように、ＯＳＤ映像信号の映像が大きくなり、そして、ＯＳＤ映像信号の明るさが高くなるので、ＯＳＤ映像信号の映像が視認し易くなる。
【産業上の利用可能性】
【００２２】
本発明にかかるディスプレイ装置は、警告表示を含んでいる映像を拡大し、さらに、警告表示の映像を、警告表示の映像が無い映像より、輝度を高めることにより警告表示の視認性をよくすることが可能になるので、警告映像を含む表示を行うディスプレイ装置として有用である。
【図面の簡単な説明】
【００２３】
【図１】本発明の実施の形態１におけるディスプレイ装置のブロック図
【図２】本発明の実施の形態におけるディスプレイ装置の画面イメージ図
【図３】本発明の実施の形態２におけるディスプレイ装置のブロック図
【図４】従来のディスプレイ装置のブロック図
【図５】従来のディスプレイ装置における映像イメージ図
【符号の説明】
【００２４】
１０１    リサイズ回路Ａ
１０２    輝度検出回路
１０３    リサイズ回路Ｂ
１０４    マイコン（制御）
１０５    調整回路
１０６    αブレンド回路
３０１    通信回路
３０２    マイコン２（制御）
３０３    ＯＳＤ回路
【図１】
2010164879.tif 000003
【図２】
2010164879.tif 000004
【図３】
2010164879.tif 000005
【図４】
2010164879.tif 000006
【図５】
2010164879.tif 000007